(57)【要約】【課題】  ボトム傾斜時において圧迫感を軽減させるような構成のギャッチベッドにおいても、広く胸部から腹部までの上半身をＸ線撮影が可能な広さのＸ線撮影用フィルムカセッテを、無理なく背に対応するボトム下に搭載できるようにする。【解決手段】  背ボトム５ａを、背基枠８に、周知のＸ線透過性素材を用いた上面平滑な略Ｔ字状背ボトム天板１３を装着して構成して、ベッド長手方向中心部に沿って、使用者の胸部から腹部に至る箇所に対応する長方形状の領域Ｆに、Ｘ線撮影用フィルムカセッテＣを搭載する構成とする。  このＸ線撮影用フィルムカセッテＣの搭載箇所において、背ボトム天板１３には、膝ボトム５ｂ寄り側の端部から搭載箇所の両側部の略中間位置まで、前記湾曲ボトム５ｄを囲むように配置して、前記背ボトム５ａと連結する構成とする。【選択図】              図２
2006136486.tif 000002
【特許請求の範囲】
【請求項１】
ベッド装置にボトムを複数に分割すると共に、使用者の膝、腰、背にかけて、適度な曲率で曲がるように構成された湾曲ボトムを配して、背に対応する背ボトムを背上げ機構により傾斜調節する構成とし、前記背ボトムから前記湾曲ボトムにかけて、ベッド長手方向中心部に沿って、使用者の胸部から腹部に至る箇所に対応する位置に、Ｘ線撮影用フィルムカセッテを搭載する構成とし、このＸ線撮影用フィルムカセッテの搭載箇所において、搭載箇所の両側部の略中間位置まで、前記湾曲ボトムを囲むように配置して、前記背ボトムと連結する構成としたことを特徴とするＸ線撮影用フィルムカセッテを搭載可能なベッド装置。
【請求項２】
前記Ｘ線撮影用フィルムカセッテの搭載箇所の両側部に配置した前記湾曲ボトムを、メインフレームに固設した支持部材で受ける構成としたことを特徴とする請求項１記載のＸ線撮影用フィルムカセッテを搭載可能なベッド装置。
【請求項３】
前記背上げ機構は、背ボトムを構成する背基枠の基端側とメインフレームとの間に介在した第１の支持リンクと、背上げ用アクチュエータの起動軸と連結する起伏リンクと、補助リンクとを備え、この補助リンクの中間部と前記メインフレーム間に第２の支持リンクを連結する構成としたことを特徴とする請求項１または２記載のＸ線撮影用フィルムカセッテを搭載可能なベッド装置。
【請求項４】
前記湾曲ボトムは、押し出し成形体により構成したことを特徴とする請求項１、２記載のうち、いずれか１記載のＸ線撮影用フィルムカセッテを搭載可能なベッド装置。
【発明の詳細な説明】
【技術分野】
【０００１】
本発明は、ボトム傾斜時において圧迫感を軽減させるような構成のギャッチベッドにおいても、広く胸部から腹部までの上半身をＸ線撮影が可能な広さのＸ線撮影用フィルムカセッテを、無理なく背に対応するボトム下に搭載できる構成とした、Ｘ線撮影用フィルムカセッテを搭載可能なベッド装置に関するものである。
【背景技術】
【０００２】
従来、手術直後における患者や重い傷病患者を、集中的に監視および治療を施す集中治療室（Ｉ．Ｃ．Ｕ．）において使用されるＩ．Ｃ．Ｕ．ベッドには、傷病者が、寝た状態にてＸ線写真がとれるように、Ｘ線写真撮影用フィルムカセッテを装填するためのカセッテトレイを床部に設けたものが製品化されている。
上記Ｉ．Ｃ．Ｕ．ベッドにおいては、背に対応する床部（背ボトム）に設けたカセッテトレイを、ハンドルにより支持位置を調節して、撮影箇所にカセッテトレイをもたらすようにしているが、上記カセッテトレイは、その詳細な構成の説明は省略するが、重量がかなりあるので、正確な位置調整を行うために、ばね部材等を補助力として用いている。
【０００３】
そこで本出願人は、このようなＸ線写真撮影用フィルムカセッテをより簡単に装填するために、例えば
【特許文献１】（特開平８−３６２３０号公報）  ベッドの床部裏面に装着するＸ線写真撮影用フィルムカセッテを、床部の傾斜角度にかかわらず、容易に所望の撮影位置にもたらすことができるようにするために、床部に、Ｘ線写真撮影用フィルムカセッテを装填するためのカセッテトレイを、摺動自在に装着すると共に支持位置調節可能に構成し、前記床部の、先端側とベッドフレームに取り付けた側の近傍とにプーリを設ける一方、この床部から離隔した位置におけるベッドフレームに軸部材を回動自在に設けてこの軸部材両端にプーリを設け、前記床部先端側のカセッテトレイ端面に一端側を接続すると共に床部先端側のプーリから、床部のベッドフレームに取り付けた側のプーリを介して、ベッドフレームにおける軸部材のプーリに掛け渡して、他端側を巻き付けた線状部材を有し、前記床部のベッドフレームに取り付けた側の端面に突設した突設腕に一端側を接続すると共に、他端側を軸部材に前記線状部材をプーリに巻き付けた方向と反対廻りに巻き付けるようにしたばね部材を有し、前記カセッテトレイを線状部材の張力作用下に、床部のスライドガイドを摺動させるようにし、カセッテトレイの側面に設けた係止手段により、所望の位置に固定保持するようにしている。
【０００４】
他方、本出願人は、以下のようなギャッチベッド装置を提案している。
【特許文献２】（特開２０００−６０９０７号）  このベッド装置では、屈曲箇所に、適度な曲率で曲がるように構成された湾曲ボトムを配し、背ボトムを、背上げリンクと、傾斜を促進させるリンク等で構成された背上げ機構により傾斜させ、背ボトムの傾斜時における屈曲箇所の空間を確保するようにする一方、背ボトムの傾斜と共に、背ボトムをベッド頭側にずらすようにして、背ボトムの傾斜時における屈曲箇所の空間を確保するようにし、背上げ時に、身体のずれ、身体への圧迫を抑制するようにした背上げ機構を提案してきている。
【０００５】
さらに、本出願人は
【特許文献３】（特開２００１−３５３０４４号）で開示しているように、背ボトムの傾斜時における屈曲箇所の空間にもたらして、身体への圧迫を抑制する、適度な曲率で湾曲するいわゆる湾曲ボトムを提案している。
【発明の開示】
【発明が解決しようとする課題】
【０００６】
しかしながら、上記のような背上げ機構と湾曲ボトムを備えたベッド装置に、前述のＸ線写真撮影用フィルムカセッテを搭載しようとすると、背ボトムのベッド中央寄り側の端部側が、湾曲ボトムで構成されるため、前記Ｘ線写真撮影用フィルムカセッテを配置することができず、このようなベッド装置に搭載できる構成が求められていた。
本発明はこのような課題を解決するために提案されたものであって、ボトム傾斜時において圧迫感を軽減させるような構成のギャッチベッドにおいても、広く胸部から腹部までの上半身をＸ線撮影が可能な広さのＸ線撮影用フィルムカセッテを、無理なく背に対応するボトム下に搭載できる構成とした、Ｘ線撮影用フィルムカセッテを搭載可能なベッド装置を提供することを目的とする。
【課題を解決するための手段】
【０００７】
前記した課題を解決するために、本発明では、請求項１において、ベッド装置にボトムを複数に分割すると共に、使用者の膝、腰、背にかけて、適度な曲率で曲がるように構成された湾曲ボトムを配して、背に対応する背ボトムを背上げ機構により傾斜調節する構成とし、前記背ボトムから前記湾曲ボトムにかけて、ベッド長手方向中心部に沿って、使用者の胸部から腹部に至る箇所に対応する位置に、Ｘ線撮影用フィルムカセッテを搭載する構成とし、このＸ線撮影用フィルムカセッテの搭載箇所において、搭載箇所の両側部の略中間位置まで、前記湾曲ボトムを囲むように配置して、前記背ボトムと連結する構成としたＸ線撮影用フィルムカセッテを搭載可能なベッド装置を提案する。
また本発明では、請求項２において、前記Ｘ線撮影用フィルムカセッテの搭載箇所の両側部に配置した前記湾曲ボトムを、メインフレームに固設した支持部材で受ける構成としたＸ線撮影用フィルムカセッテを搭載可能なベッド装置を提案する。
また本発明では、請求項３において、前記背上げ機構は、背ボトムを構成する背基枠の基端側とメインフレームとの間に介在した第１の支持リンクと、背上げ用アクチュエータの起動軸と連結する起伏リンクと、補助リンクとを備え、この補助リンクの中間部と前記メインフレーム間に第２の支持リンクを連結する構成としたＸ線撮影用フィルムカセッテを搭載可能なベッド装置を提案する。
さらに本発明では、請求項４において、前記湾曲ボトムは、押し出し成形体により構成したＸ線撮影用フィルムカセッテを搭載可能なベッド装置を提案する。
【発明の効果】
【０００８】
本発明によれば、ボトム傾斜時に、圧迫感を軽減させるような構成のギャッチベッドにおいても、広く胸部から腹部までの上半身をＸ線撮影が可能な広さのＸ線撮影用フィルムカセッテを、ベッドの機能を損ねるようなことなく、無理なく背に対応するボトム下に搭載することができる。
【０００９】
請求項１によれば、背ボトムの、使用者の胸部から腹部に至る箇所に対応する位置に、Ｘ線撮影用フィルムカセッテを搭載する構成としても、このＸ線撮影用フィルムカセッテの搭載箇所両側部の略中間位置まで囲むように配置した湾曲ボトムが、背上げによって、ベッド長手方向に伸長しつつ、湾曲ボトムが適度な曲率の湾曲面を形成するので、背ボトムをベッド頭側にずらすようにして、背ボトムの傾斜時における屈曲箇所の空間を確保するベッド装置の本来の機能を妨げることはない。
【００１０】
請求項２によれば、Ｘ線撮影用フィルムカセッテの搭載箇所両側部の略中間位置までに配置した前記湾曲ボトムを、メインフレームに固設した支持部材で受けるようにしているので、垂れ下がるようなことはなく、上からの荷重に対しても耐えるものとすることができる。
【００１１】
請求項３によれば、背上げ機構を作動させると、背上げ用アクチュエータの起動軸が起伏リンクを変位させ、第１支持リンクと、補助リンクと補助リンクの中間部と前記メインフレーム間の第２支持リンクが協動して、背ボトムを構成する背基枠の基端側は、第１支持リンクにより上方に押し上げられつつ、背ボトムを傾斜させることができる。
これにより、背ボトムを構成する背基枠の基端側と、膝ボトム間が開いて、空間が確保される。
このとき、背ボトムは上方に持ち上がるように変位するため、前記湾曲ボトムはベッド長手方向に拡張して、適度な曲率で湾曲し、背基枠の基端側と、膝ボトム間の空間に展開することとなる。
【００１２】
請求項４によれば、前記湾曲ボトムは、押し出し成形体により構成しているので、成形型が一種で済み、製造コストを抑制することができる。
【発明を実施するための最良の形態】
【００１３】
以下、本発明にかかるＸ線撮影用フィルムカセッテを搭載可能なベッド装置につき、一つの実施の形態を挙げ、添付の図面に基づいて説明する。
図１にＸ線撮影用フィルムカセッテを搭載可能なベッド装置１を示す。このベッド装置１は、集中治療室において用いられるＩ・Ｃ・Ｕベッド装置であり、このベッド装置１は、台車部２上に、メインフレーム３を、昇降調節脚部４により支持する構成としている。
前記メインフレーム３には、使用者の仰臥するボトム５が配置され、このボトム５は背に対応する背ボトム５ａ、大腿部に対応する膝ボトム５ｂ、足に対応する足ボトム５ｃに分離構成している。なお、これら背ボトム５ａ、膝ボトム５ｂ、足ボトム５ｃは、上面平滑な板体で構成している。このうち、背ボトム５ａは周知のＸ線透過性素材で構成している（図２参照）。
そして前記背ボトム５ａと膝ボトム５ｂとの間には、適度な曲率で湾曲する湾曲ボトム５ｄを配置するようにしている。
【００１４】
次に前記メインフレーム３には、前記膝ボトム５ｂ、足ボトム５ｃを変位させる膝上げ用、足上げ用アクチュエータ（図示省略）を搭載し、さらに、前記背ボトム５ａを背上げ動作させる背上げ用アクチュエータ６を搭載している（図３参照）。
また前記メインフレーム３には、背ボトム５ａを前記背上げ用アクチュエータ６により起伏調節するための背上げ機構７を搭載している。
この背上げ機構７は、背ボトム５ａを構成する背基枠８の基端側とメインフレーム３との間に介在した第１の支持リンク９と、前記背上げ用アクチュエータ６の起動軸６ａと連結する起伏リンク１０と、補助リンク１１とを設けている。またこの補助リンク１１の中間部と前記メインフレーム３間に第２の支持リンク１２を連結している。この背上げ機構７により、背ボトム５ａを構成する背基枠８の基端側が上昇しながら、前記背ボトム５ａを傾斜させる構成としている。
【００１５】
そして前記ボトム５において、背ボトム５ａは、前述したように、背基枠８に、周知のＸ線透過性素材を用いた上面平滑な略Ｔ字状背ボトム天板１３を装着して構成して、後述する湾曲ボトム５ｄと連結している。この背ボトム天板１３には、図示しているように、ベッド長手方向中心部に沿って、使用者の胸部から腹部に至る箇所に対応する長方形状の領域Ｆに、Ｘ線撮影用フィルムカセッテＣを搭載する構成としている。
そして、このＸ線撮影用フィルムカセッテＣの搭載箇所において、背ボトム天板１３には、膝ボトム５ｂ寄り側の端部から搭載箇所の両側部の略中間位置まで、前記湾曲ボトム５ｄを囲むように配置して、前記背ボトム５ａと連結する構成としている。
【００１６】
ここで、前記湾曲ボトム５ｄについて説明する。
前記湾曲ボトム５ｄは、詳細は図示しないが、例えば周知の合成樹脂製押し出し成形体により構成した、多数の短冊状中空体であるボトムブロックＢを順次、適度な角度で変位可能に連結したものであり、前記背ボトム５ａの略Ｔ字状背ボトム天板１３と連結することにより、所定の幅寸法のボトム５を構成するようにしている。
すなわち前記ボトムブロックＢは、背ボトム天板１３の膝ボトム５ｂ寄り側の端部から、膝ボトム５ｂ間に配設した、ボトム５幅の寸法のロングボトムブロックＢＬと、前記背ボトム天板１３の膝ボトム５ｂ寄り側の端部からＸ線撮影用フィルムカセッテＣ搭載箇所の両側部に配設したショートボトムブロックＢＳとよりなる。なお、これらロングボトムブロックＢＬ、ショートボトムブロックＢＳには、それぞれ端部側に端部材ＢＥを装着している。
【００１７】
そして、これらＸ線撮影用フィルムカセッテＣ搭載箇所の両側部のショートボトムブロックＢＳ列の端部側と前記背ボトム天板１３とを連結金具１４により連結している。また、前記膝ボトム寄りに位置するロングボトムブロックＢＬ列と、Ｘ線撮影用フィルムカセッテＣ搭載箇所の両側部のショートボトムブロックＢＳ列とは、裏面側において補強用金具１５で連結している。また、前記ロングボトムブロックＢＬ列の端部側と、前記膝ボトム５ｂを支える膝枠１６とは、回動可能に連結している。
【００１８】
さらに、前記背ボトム天板１３の膝ボトム５ｂ寄り側の端部からＸ線撮影用フィルムカセッテＣ搭載箇所の両側部の箇所のショートボトムブロックＢＳ列は、裏面に、メインフレーム３に固設した支持部材１７が当接するようにしている。
【００１９】
以上のようなＸ線撮影用フィルムカセッテを搭載可能なベッド装置１において、背上げ機構７を作動させると、背上げ用アクチュエータ６の起動軸６ａが起伏リンク１０を変位させ、第１支持リンク７と、補助リンク１１と補助リンク１１の中間部と前記メインフレーム３間の第２支持リンク１２が協動して、背ボトム５ａを構成する背基枠８の基端側は、第１支持リンク７により上方に押し上げられつつ、背ボトム５ａを傾斜させることができる。
これにより、背ボトム５ａを構成する背基枠８の基端側と、膝ボトム５ｂ間が開いて、背ボトム５ａの傾斜時における屈曲箇所、すなわち、使用者の腰部、腹部廻りの空間が確保される。
このように背上げの際、背ボトム５ａは上方に持ち上がるように変位するため、前記湾曲ボトム５ｄは、ショートボトムブロックＢＳ列、ロングボトムブロックＢＬ列がブロックごと、ベッド長手方向に拡張すると共に、適宜変位することで、全体として適度な曲率で湾曲し、背基枠８の基端側と、膝ボトム５ｂ間の空間に展開することとなる。
【００２０】
以上のように、背上げの際、Ｘ線撮影用フィルムカセッテＣの搭載箇所両側部の略中間位置まで囲むように配置した湾曲ボトム５ｄは、背ボトム５ａの動きを妨げることなく、ベッド長手方向に拡張して、湾曲ボトム５ｄを構成するショートボトムブロックＢＳ列、ロングボトムブロックＢＬ列ボトムブロックＢが順次変位して、全体として適度な曲率の湾曲面を形成するので、前記ベッド装置１における背ボトム５ａの、使用者の胸部から腹部に至る箇所に対応する長方形状の領域Ｆに、Ｘ線撮影用フィルムカセッテＣを搭載する構成としても、このベッド装置１の背上げ機構７がもたらす、背ボトム５ａの傾斜時における屈曲箇所の空間を確保する本来の機能を発揮させることができる。
【００２１】
なお、前記Ｘ線撮影用フィルムカセッテＣの搭載箇所両側部の略中間位置までに配置した前記湾曲ボトム５ｄである短冊状のボトムブロックＢは、メインフレーム３に固設した支持部材１７で受けるようにしているので、垂れ下がるようなことはなく、上からの荷重に対しても十分に耐えるものとすることができ、強度的にも問題はない。
【００２２】
また、前記湾曲ボトム５ｄを構成するボトムブロックは、長さ寸法の異なるショートボトムブロックＢＳ列、ロングボトムブロックＢＬ列で構成しているが、押し出し成形体により構成しているので、成形型が一種で済み、製造コストを抑制することができる。
【図面の簡単な説明】
【００２３】
【図１】本発明にかかるＸ線撮影用フィルムカセッテを搭載可能なベッド装置の一例を示した、斜視図である。
【図２】図１に示すベッド装置の要部平面図である。
【図３】図１に示すベッド装置の湾曲ボトム、背上げ機構をボトム下方から見た、斜視説明図である。
【図４】図１に示すベッド装置の背上げ機構を動作して、背上げした状態を示す、一方向から見た、斜視説明図である。
【図５】図１に示すベッド装置の背上げ機構を動作して、背上げした状態を示す、側面説明図である。
【図６】図１に示すベッド装置の背上げ機構を動作して、背上げした状態を示す、他方向から見た、斜視説明図である。
【符号の説明】
【００２４】
１                        ベッド装置
２                        台車部
３                        メインフレーム
４                        昇降調節脚部
５                        ボトム
５ａ                      背ボトム
５ｂ                      膝ボトム
５ｃ                      足ボトム
５ｄ                      湾曲ボトム
６                        背上げ用アクチュエータ
６ａ                      起動軸
７                        背上げ機構
８                        背基枠
９                        第１支持リンク
１０                      起伏リンク
１１                      補助リンク
１２                      第２支持リンク
１３                      背ボトム天板
１４                      連結金具
１５                      補強金具
１６                      膝枠
１７                      支持部材
Ｃ                        Ｘ線撮影用フィルムカセッテ
Ｂ                        ボトムブロック
ＢＳ                      ショートボトムブロック
ＢＬ                      ロングボトムブロック
ＢＥ                      端部材
【図１】
2006136486.tif 000003
【図２】
2006136486.tif 000004
【図３】
2006136486.tif 000005
【図４】
2006136486.tif 000006
【図５】
2006136486.tif 000007
【図６】
2006136486.tif 000008